(57)【要約】【課題】  本体枠の遊技盤装着枠に対し、一側部を支点として回動して遊技盤を装着するときに、その遊技盤の回動動作に伴って本体枠側コネクタと遊技盤側コネクタとを電気的に接続することができる遊技機を提供する。【解決手段】  遊技機の本体枠２０に設けられた遊技盤装着枠１１０の一側部に対し、遊技盤１４０の一側部が係脱可能に係合され、その係合部を支点として遊技盤１４０が遊技盤装着枠に沿う装着位置まで回動されることで遊技盤装着枠１１０に遊技盤１４０が着脱交換可能に装着され、その遊技盤１４０の回動動作に伴って本体枠側コネクタ１２０と遊技盤側コネクタ１７０とが電気的に接続される。【選択図】        図１９
2005296638.tif 000002
【特許請求の範囲】
【請求項１】
遊技機の本体枠に設けられた遊技盤装着枠の一側部に対し、遊技盤の一側部が係脱可能に係合され、その係合部を支点として前記遊技盤が前記遊技盤装着枠に沿う装着位置まで回動されることで前記遊技盤装着枠に前記遊技盤が着脱交換可能に装着されることを特徴とする遊技機。
【発明の詳細な説明】
【技術分野】
【０００１】
この発明は、遊技機に関し、例えば、球（パチンコ球）を用いて遊技を行う遊技機に関する。
【背景技術】
【０００２】
遊技機、例えば、パチンコ機において、遊技機の基枠（本体枠）に対し、ヒンジ機構によって遊技盤の一側部が回動並びに離脱可能に支持され、基枠（本体枠）と遊技盤との相互に、遊技盤を閉じ位置まで回動したときに、その回動動作に伴って電気的に接続される電気配線接続用の一対のコネクタが配設された構造の遊技機が知られている（例えば、特許文献１参照）。
【特許文献１】実公平７ー２７９６１号公報
【発明の開示】
【発明が解決しようとする課題】
【０００３】
前記したような構造をもつ遊技機においては、一般的に、本体枠（基枠）と遊技盤との相互に配設される一対のコネクタに対し、遊技に関連する信号（例えば、ＤＣ５Ｖ）を伝達するための信号線に対する複数の信号端子や本体枠側から遊技盤側に電源（例えば、ＤＣ３４ＶあるいはＤＣ１２Ｖ）を供給する電源線に対する電源端子及びグランド端子がそれぞれ配設されており、本体枠に対し遊技盤を着脱交換する度毎に、信号線や電源線を外したりあるいは接続する煩わしい手間を解消することができる。
また、前記したような構造をもつ遊技機においては、遊技盤の交換装着の際には、前もって遊技機の本体枠側に配置された電源スイッチをＯＦＦし、遊技盤の交換装着が完了した後、電源スイッチをＯＮするように取り扱わなければならない。
ところが、遊技盤の交換作業者が不慣れな場合等において、遊技盤を交換装着する際、遊技機の電源スイッチをＯＮのまま遊技盤を脱着交換する場合がある。
そして、遊技機の電源スイッチがＯＮの状態で遊技盤が交換装着される際、一対のコネクタにおいて、電圧が最も高いＤＣ３４Ｖの電源端子がグランド端子よりも先に接続されることがある。すると、ＤＣ１２Ｖ、ＤＣ５Ｖが供給される回路をもつ回路基板上の電子部品（例えば、ＩＣチップ、トランジスタ等の電子部品）に対し設計経路とは異なる経路で電流が流れ、回路基板上の電子部品が過電流によって破損される場合がある。
【０００４】
この発明の目的は、前記問題点に鑑み、本体枠の遊技盤装着枠に対し、一側部を支点として回動して遊技盤を装着するときに、その遊技盤の回動動作に伴って本体枠側コネクタと遊技盤側コネクタとが電気的に接続される際、グランド端子を電源端子よりも先に接続することができ、電子部品が過電流によって破損される不具合を防止することができる遊技機を提供することである。
【課題を解決するための手段】
【０００５】
前記目的を達成するために、請求項１の発明に係る遊技機は、
「遊技機の本体枠に設けられた遊技盤装着枠の一側部に対し、遊技盤の一側部が係脱可能に係合され、その係合部を支点として前記遊技盤が前記遊技盤装着枠に沿う装着位置まで回動されることで前記遊技盤装着枠に前記遊技盤が着脱交換可能に装着される遊技機であって、
前記本体枠と前記遊技盤には、前記遊技盤装着枠に対する前記遊技盤の回動動作に伴って電気的に接続される本体枠側コネクタと遊技盤側コネクタとがそれぞれ配設され、
前記本体枠側コネクタ及び前記遊技盤側コネクタには、遊技に関連する信号を伝達するための信号線に対応する複数の信号端子が配設される第１の端子配設領域と、前記本体枠側から前記遊技盤側に電源を供給する電源線に対応する電源端子及びグランド端子が配設される第２の端子配設領域と、が区分けされて設けられるとともに、前記本体枠側コネクタ及び前記遊技盤側コネクタは、前記本体枠の前側と前記遊技盤の後側とにそれぞれ配設され、
前記第２の端子配設領域に配設された電源端子とグランド端子のうち、グランド端子は前記遊技盤の回動支点側に配置され、電源端子は前記遊技盤の回動自由端側に配置されていることを特徴とする遊技機。」
を要旨とするものである。
【０００６】
前記構成において、本体枠の遊技盤装着枠に対し遊技盤を装着する場合、遊技盤装着枠の一側部に対し、遊技盤の一側部が係脱可能に係合され、その係合部を支点として遊技盤が遊技盤装着枠に沿う装着位置まで回動されることで遊技盤装着枠に遊技盤が着脱交換可能に装着される。
遊技盤の一側部の係合部を支点とする遊技盤の回動動作に伴って、本体枠の前側と遊技盤の後側とにそれぞれ配設された本体枠側コネクタと遊技盤側コネクタとが接続される。
また、前記とは逆の手順で操作することで本体枠の遊技盤装着枠に対し遊技盤が取り外されると共に、本体枠側コネクタと遊技盤側コネクタとが離脱される。
このため、本体枠に対し遊技盤を着脱交換する度毎に、信号線や電源線を外したりあるいは接続する煩わしい手間を解消することができる。
特に、遊技盤の回動動作に伴って、本体枠側コネクタと遊技盤側コネクタとが接続されるときには、グランド端子が電源端子よりも先に接続されるため、遊技機の電源がＯＮの状態で遊技盤が脱着交換された場合においても、設計経路とは異なる経路で電流が流れることが防止される。
【０００７】
請求項２の発明に係る遊技機は、
「請求項１に記載の遊技機であって、
本体枠側コネクタ及び遊技盤側コネクタには、第１、第２の端子配設領域に配設された複数の信号端子、電源端子及びグランド端子を保護するために、前記第１、第２の端子配設領域を外側から覆って取り囲む周壁体がそれぞれ形成され、
前記本体枠側コネクタの周壁体と、前記遊技盤側コネクタの周壁体とのうち、一方の周壁体が外側、他方の周壁体が内側に位置して相互に嵌込まれる大きさに形成され、
前記両周壁体が相互に嵌込まれることで、前記本体枠側コネクタの複数の信号端子、電源端子及びグランド端子と、前記遊技盤側コネクタの複数の信号端子、電源端子及びグランド端子とが接続案内される構成にしてあることを特徴とする遊技機。」
を要旨とするものである。
【０００８】
前記構成において、本体枠側コネクタ及び遊技盤側コネクタの各第１、第２の端子配設領域に配設された複数の信号端子、電源端子及びグランド端子が周壁体に取り囲込まれて覆われて保護することができる。このため、本体枠の遊技盤装着枠から遊技盤が取り外された状態において、本体枠側コネクタ及び遊技盤側コネクタの各第１、第２の端子配設領域に配設された複数の信号端子、電源端子及びグランド端子に対し異物が不測に当たって損傷されることを防止することができる。
また、本体枠側コネクタの周壁体と、遊技盤側コネクタの周壁体とが相互に嵌込まれることによって、本体枠側コネクタの複数の信号端子、電源端子及びグランド端子と、前記遊技盤側コネクタの複数の信号端子、電源端子及びグランド端子とを接続案内することができ、各端子の接続不良を防止することができる。
【０００９】
請求項３の発明に係る遊技機は、
「請求項１又は２に記載の遊技機であって、
本体枠側コネクタと遊技盤側コネクタと両コネクタのうち、少なくとも一方のコネクタにおいて、グランド端子は、電源端子よりも長く形成されていることを特徴とする遊技機。」
を要旨とするものである。
【００１０】
前記構成において、本体枠側コネクタと遊技盤側コネクタと両コネクタのうち、少なくとも一方のコネクタにおいて、グランド端子が電源端子よりも長く形成されている分だけ、グランド端子が電源端子よりも先に（早く）接続されるため、電源端子が先に接続されることをより一層確実に防止することができる。
【００１１】
請求項４の発明に係る遊技機は、
「請求項１〜３のいずれか一項に記載の遊技機であって、
本体枠側コネクタ及び遊技盤側コネクタは、上下方向に長い縦形状をなして本体枠の前側と遊技盤の後側とにそれぞれ配設され、
前記本体枠側コネクタ及び前記遊技盤側コネクタの第１の端子配設領域と、第２の端子配設領域と、が上下に区分けして配置されていることを特徴とする遊技機。」
を要旨とするものである。
【００１２】
前記構成において、本体枠側コネクタ及び遊技盤側コネクタは、上下方向に長い縦形状をなしている。そして、コネクタの第１の端子配設領域には複数（多数）の信号端子が配列され、第２の端子配設領域には電源端子と、グランド端子が配列されている。このため、各端子の左右方向の距離寸法を小さくすることができ、遊技盤の装着時の回動動作に伴って、本体枠側コネクタと、遊技盤側コネクタとが円滑に嵌込まれる。
すなわち、対をなすコネクタが左右方向に長い横長状に形成された場合には、左右両端の端子の左右方向の距離寸法が大きくなり、遊技盤の装着時の回動動作に伴って、本体枠側コネクタと、遊技盤側コネクタとを嵌込こむことが困難となる場合があるが、このような不具合を防止することができる。
また、対をなすコネクタのそれぞれの第２の端子配設領域に配設された電源端子とグランド端子のうち、グランド端子は遊技盤の回動支点側に配置され、電源端子は遊技盤の回動自由端側に配置されている。
このため、遊技盤の回動動作に伴って、本体枠側コネクタと遊技盤側コネクタとが接続されるときには、グランド端子が電源端子よりも先に接続される。
このため、遊技機の電源がＯＮの状態で遊技盤が脱着交換された場合においても、設計経路とは異なる経路で電流が流れることを防止することができ、例えば、回路基板上のＩＣチップ、トランジスタ等の電子部品が過電流によって破損されることを防止することができる。
【発明の効果】
【００１３】
この発明によれば、遊技盤の回動動作に伴って、本体枠側コネクタと遊技盤側コネクタとが接続されるときには、グランド端子が電源端子よりも先に接続されるため、遊技機の電源がＯＮの状態で遊技盤が脱着交換された場合においても、設計経路とは異なる経路で電流が流れることを防止することができ、例えば、回路基板上のＩＣチップ、トランジスタ等の電子部品が過電流によって破損されることを防止することができる。
【発明を実施するための最良の形態】
【００１４】
次に、この発明を実施するための最良の形態を実施例にしたがって説明する。
【実施例】
【００１５】
図１は遊技機の外枠の一側に本体枠が開かれその本体枠の一側にガラス扉が開かれた状態を示す斜視図である。図２は遊技機の前側全体を示す正面図である。図３は遊技機の後側全体を示す背面図である。図４は遊技機の本体枠に部材が組み付けられた状態を斜め左下方から示す斜視図である。図５は遊技機の本体枠と遊技盤とを分離して示す斜視図である。なお、説明の便宜上、遊技機において遊技者側を前、反対側を後として説明する。
【００１６】
［遊技機の概要について］
図１〜図３に示すように、遊技機としてのパチンコ機は、外枠１０、本体枠２０、ガラス扉９０、遊技盤１４０等を備えて構成されている。
外枠１０は、上下左右の枠材によって縦長四角形の枠状に形成され、同外枠１０の前側下部には、本体枠２０の下面を受ける下受板１５を有している。
外枠１０の前面の片側には、本体枠開閉用ヒンジ機構１９によって本体枠２０が前方に開閉可能に装着されている。
【００１７】
［本体枠について］
図１と図５に示すように、本体枠２０は、前枠体２１、遊技盤装着枠１１０及び機構装着体１９０を合成樹脂材によって一体成形することで構成されている。
本体枠２０の前側に形成された前枠体２１は、外枠１０の前側の下受板１５を除く外郭形状に対応する大きさの矩形枠状に形成されている。前枠体２１の中央部には遊技盤装着枠１１０が形成され、その遊技盤装着枠１１０の後側に機構装着体１９０が形成されている。
【００１８】
［本体枠のスピーカボックス部について］
図５と図６に示すように、前枠体２１の前側において、遊技盤装着枠１１０よりも下方に位置する前枠体２１の前下部領域の一側（図５では左側）寄りには、スピーカボックス部３０が一体に形成され、そのスピーカボックス部３０の前側開口部には、同開口部を塞ぐようにしてスピーカ装着部材（スピーカカバー）３５がビス等３８によって装着されている。このスピーカ装着部材３５は、多数のスリット状の貫通孔が貫設された前面板と、その前面板の後側周縁部に沿って後方に向けて突設された周壁部と、を備えて後方に開口する箱形状に形成され、そのスピーカ装着部材３５の前面板の内面にはスピーカ（コーン型スピーカ）３６がその前面フランジ３７においてビス３９等によって装着されている。
また、図６と図７に示すように、スピーカボックス部３０は、前側が大きく後側に向けてしだいに小さくなった複数段の段差箱形状をなし、図９に示すように、スピーカボックス部３０の後壁４０とスピーカ３６の前面フランジ３７との間には音響室３１が形成されている。
また、図６と図９に示すように、スピーカボックス部３０の内壁面の一側部にはダクト部材３４が装着され、これによって前端が前枠体２１の前方に開口し後端部が音響室３１に連通する音響通路３３が形成されている。
【００１９】
［スピーカボックス部の後壁のコネクタ接続について］
図７図８に示すように、スピーカボックス部３０の後壁４０の外面（後側）には、凹部４１が形成され、その凹部４１の底部４２にはスピーカ３６に対する配線用孔４３が貫設されている。そして、図９に示すように、スピーカ３６から延出されたスピーカ接続線４５の端末コネクタ５０が配線用孔４３を塞ぐようにして同配線用孔４３に弾性的に係合して取り付けられている。
図１０〜図１２に示すように、スピーカ接続線４５の端末コネクタ５０は、そのコネクタ本体５１の上下の両外側面には、配線用孔４３の上下両縁において底部４２の内面に当接する当接片５２と、底部４２の外面に弾性的に係合する弾性係合部５３とが形成されている。そして、図１０に示すように、端末コネクタ５０が底部４２の内面側（音響室３１側）から配線用孔４３に押し込まれることで、底部４２の内外両面が当接片５２と弾性係合部５３との間に狭持され、これによって、配線用孔４３を塞ぐようにして端末コネクタ５０が止着されるようになっている。
【００２０】
また、図１０〜図１２に示すように、スピーカ接続線４５の端末コネクタ５０には、後述する副制御基板１６６に一端が接続された電源線５９の他端の端末コネクタ６０が差し込まれて電気的に接続される。この際、配線用孔４３に対する弾性係合部５３の係合力によって、配線用孔４３にスピーカ接続線４５の端末コネクタ５０が係合保持されるため、同端末コネクタ５０が音響室３１側に外れることが防止されている。
【００２１】
前記したように、この実施例において、スピーカ接続線４５の端末コネクタ５０のコネクタ本体５１と、電源線５９の端末コネクタ６０のコネクタ本体６１との相互には、端末コネクタ６０の差し込み動作によって弾性的に係合する雄形・雌形の抜け止め用係合部５５、６５がそれぞれ形成され、これら抜け止め用係合部５５、６５の係合力によって、スピーカ接続線４５の端末コネクタ５０から電源線５９の端末コネクタ６０が不測に外れることが防止されるようになっている。
また、配線用孔４３を両端末コネクタ５０、６０によって塞ぐことができるため、音響室３１側の音が漏れて音質低下をまねくという不具合を防止することができる。
【００２２】
また、この実施例において、図１０と図１１に示すように、スピーカボックス部３０の後壁４０に形成された凹部４１の深さ寸法Ｈは、両端末コネクタ５０、６０が接続された状態で電源線５９側の端末コネクタ６０が凹部４１の開口から後方に突出されることがない程度に設定されている。  
これによって、両端末コネクタ５０、６０に対し異物が当たって外れたり、あるいは損傷されることが防止される。
【００２３】
［本体枠の前枠体の前側下部の装備品について］
図１と図５に示すように、前枠体２１前面の下部領域内の上側部分には、後に詳述する遊技盤１４０の発射通路に向けて球を導く発射レール２２が傾斜状に装着され、その発射レール２２の側方において本体枠２０の前側から操作可能な電源スイッチＳ１が配置されている。
前枠体２１前面の下部領域内の下側部分には、下部前面板２３が装着されている。下部前面板２３の前面の略中央部には、下皿２４が設けられ、片側寄りには操作ハンドル２５が設けられている（図１参照）。
【００２４】
［本体枠の前枠体の後側下部の装備品について］
図３と図４に示すように、前枠体２１の後側において、遊技盤装着枠１１０よりも下方に位置する前枠体２１の後下部領域の片側（図４に向かって左側）には、発射レール２２の下傾端部の発射位置に送られた球を発射するための発射ハンマー７３、その発射ハンマー７３を作動する発射モータ７２等が取付基板７１に組み付けられてユニット化された発射装置ユニット７０が装着されている。
【００２５】
また、図４に示すように、前枠体２１の後下部領域の略中央部には、電源基板８１を有する電源基板ボックス８０が装着され、その電源基板ボックス８０後側に重ね合わされた状態で払出制御基板８６を有する払出制御基板ボックス８５が前後に装着されている。
また、図３と図４に示すように、前枠体２１の後下部領域の他側寄り部分（ヒンジ寄り部分）において、そのスピーカボックス部３０の後段差部の凹み部分に装着された下皿用球誘導ケースの後側に位置してインタフェース基板２３１を収納しているインタフェース基板ボックス２３０が装着されている。
【００２６】
［施錠装置について］
図１と図２に示すように、前枠体２１のヒンジ機構と反対側に自由端側の後側には、外枠１０に対し本体枠２０を施錠する機能と、本体枠２０に対しガラス扉９０を施錠する機能とを兼ね備えた施錠装置１００が装着されている。
すなわち、施錠装置１００は、外枠１０に設けられた閉止具１７に係脱可能に係合して本体枠２０を閉じ状態に施錠する上下複数の本体枠施錠フック１０１と、ガラス扉９０の自由端側の後側に設けられた閉止具９４に係脱可能に係合してガラス扉９０を閉じ状態に施錠する上下複数の扉施錠フック１０２が前方に向けて突出されている。これら扉施錠フック１０２は、前枠体２１の自由端寄り部分に貫設された貫通孔に挿通されてガラス扉９０後側の閉止具９４に係脱可能に臨んでいる。
【００２７】
また、施錠装置１００はシリンダー錠１０３を備え、そのシリンダー錠１０３の前端部は、遊技機の前方から鍵を挿入されて解錠操作可能に、前枠体２１及び下部前面板２３を貫通してその下部前面板２３の前面に露出されている（図２参照）。
そして、シリンダー錠１０３の鍵穴に鍵が挿入されて一方向に回動操作されることで本体枠施錠フック１０１と外枠１０の閉止具１７との係合が外れて本体枠２０が解錠され、これとは逆方向に回動操作されることで、扉施錠フック１０２とガラス扉９０の閉止具９４との係合が外れてガラス扉９０が解錠されるようになっている。
【００２８】
［ガラス扉について］
図１と図２に示すように、前枠体２１の前面の片側には、その前枠体２１の上端から下部前面板４４の上縁にわたる部分を覆うようにしてガラス扉９０が扉開閉用ヒンジ機構８９によって前方に開閉可能に装着されている。ガラス扉９０のヒンジ機構８９と反対側に自由端側の後側には、施錠装置１００の扉施錠フック１０２に係脱可能に係合してガラス扉９０を閉じ状態に施錠する閉止具９４が設けられている。
また、ガラス扉９０の略中央部には、後に詳述する遊技盤１４０の遊技領域１４４を前方から透視可能な略円形の開口窓９１が形成されている。また、ガラス扉９０の後側には開口窓９１よりも大きな矩形枠状をなす窓枠９２が設けられ、その窓枠９２にはガラス板、透明樹脂板等の透明板９３が装着されている。
また、ガラス扉９０の前面の略全体は、ランプ等が内設された前面装飾部材９５によって装飾され、同ガラス扉９０の前面の下部には上皿９６が形成されている（図２参照）。
【００２９】
［本体枠の機構装着体について］
図３と図４に示すように、本体枠２０の機構装着体１９０の上部後側には、島設備から供給される多数の球が貯留可能な球タンク１６５、その球タンク１６５の下方に連通するタンクレール１７１とが配設されている。
また、本体枠２０の機構装着体１９０の片側（図に向かって右側）寄りの上下方向にはユニット化された球払出装置２１０が装着されている。
【００３０】
［外部端子基板と分電基板の配置について］
図３と図２４に示すように、機構装着体１９０の後上隅部（ヒンジ寄り側）には、第１基板装着部２２０と第２基板装着部２２５とが段差状をなして形成され、下段の第１基板装着部２２０には外部端子基板２２２が装着され、上段の第２基板装着部２２５には分電基板２２６が分電基板ボックス２２７に覆われた状態で装着されている。
図２３に示すように、後に詳述する遊技盤１４０の後側に配置された図柄制御基板ボックス１４６及び主制御基板ボックス１６１の後端部は機構装着体１９０の中央部に開口された窓開口部に向けて突出している。そして、機構装着体１９０の窓開口部の一側壁を構成する側壁部と他側壁を構成する払出装置装着部２００の片側壁との間には、後カバー体２１５がその一側を支点として開閉可能に装着されている。
そして、遊技盤１４０後側の図柄制御基板ボックス１４６全体及び主制御基板ボックス１５１の上部が後カバー体２１５によって覆われるようになっている（図４参照）。
【００３１】
［本体枠側の回路基板と遊技盤側の回路基板の接続について］
図２５のブロック図で示すように、本体枠２０側においては、交流電源ＡＣから供給される交流電力が、分電基板２２６、電源スイッチＳ１を経て電源基板８１に流れ、ここで直流電力に変換されて払出制御基板８６に供給される。
また、払出制御基板８６は、球を払い出す数を記憶するＲＡＭ８６ａを備え、主制御基板１６２から送信される払出用信号に従って球を払い出す制御（球払出装置２１０のモータの作動制御）を行うようになっている。
また、交流電源ＡＣから供給される交流電力は、分電基板２２６においてインタフェース基板２３１にも分配供給される。
インタフェース基板２３１は、球貸機２３５と払出制御基板８６との間に介在され、球貸に関する信号を球貸機２３５と払出制御基板８６との間で送受信可能に電気的に接続するようになっている。
また、払出制御基板８６には、各種検出器からの信号や主制御基板１６２からの信号が伝達される。これに基づいて払出制御基板８６から例えば、大当たり信号、扉開放信号、賞球信号等の信号が外部端子基板２２２に送信され、その外部端子基板２２２の各外部出力端子から前記した大当たり信号、扉開放信号、賞球信号等の信号がホールコンピュータに伝達されるようになっている。
【００３２】
また、後に詳述する遊技盤１４０の後側に配置された主制御基板１６２は遊技の進行を制御し、副制御基板１６６は周辺機器を制御する。すなわち主制御基板１６２からの遊技に関する信号を受けた副制御基板１６６は、図柄制御基板１５６を介して図柄表示装置１５５に表示を行う。さらに、副制御基板１６６は、スピーカ３６を作動制御する。
また、図柄制御基板１５６は、遊技用信号を表示用信号に変換して図柄表示装置１５５に伝達する。図柄表示装置１５５には大当たりの抽選図柄が変動表示可能となっている。
【００３３】
［本体枠の配線構造について］
図２０〜図２３に示すように、遊技盤装着枠１１０に装着された遊技盤１４０の後側周辺部のうちの少なくとも左右両側部と機構装着体１９０の前壁部との間には、第１、第２の配線空間２４１、２５１が左右に分離して設けられている。そして、第１配線空間２４１には電源線２４０が配線され、第２配線空間２５１には各種信号に対応する複数本の信号線２５０が配線されている。
電源線２４０は、本体枠２０の機構装着体１９０の後側上隅部に配置された分電基板２２６と、同本体枠２０の前枠体２１の後側下部に配置された電源基板（この実施例では電源スイッチＳ１）８１とを電気的に接続するものである。
また、信号線２５０は、本体枠２０の機構装着体１９０の後側上隅部に配置された外部端子基板２２２と、同本体枠２０の前枠体２１の後側下部に配置された払出制御基板８６とを電気的に接続するものである。
【００３４】
この実施例おいて、第１配線空間２４１は、分電基板２２６と電源基板（この実施例では電源スイッチＳ１）８１との左右方向の距離寸法に対応する横空間部２４２と、分電基板２２６と電源基板（この実施例では電源スイッチＳ１）８１との上下方向の距離寸法に対応する縦空間部２４５とを備えて略逆Ｌ字状をなしている。
また、第１配線空間２４１の横空間部２４２に対応する機構装着体１９０の前壁部上部には、略Ｌ字状をなして突出しかつ先端部に抜止爪を有する複数の保持片２４３が左右方向に所定間隔をもって配設されている。
また、第１配線空間２４１の縦空間部２４５に対応する機構装着体１９０の前壁部の右側上部から下部において、略コの字状をなして突出する複数の保持片２４５が上下方向に所定間隔をもって突設されている。
【００３５】
また、この実施例において、図２１に示すように、横空間部２４２に対応する位置に配置された複数の保持片２４３は、向きを交互に上下逆向きに形成され、これによって、複数の保持片２４３に対し電源線２４０の挿入向きを上方と下方とに交互に換えて掛け渡すことによってその電源線２４０の挿通作業が容易に行なうことができるとともに、複数の保持片２４３に掛け渡された電源線２４０の上下方向への移動が規制され、電源線２４０の外れが防止されるようになっている。
【００３６】
第２配線空間２５１は、外部端子基板２２２と払出制御基板８６との上下方向の距離寸法に対応して機構装着体１９０の左側の上部から下部にわたって形成されている。
また、第２配線空間２５１に対応する機構装着体１９０の前壁部左前には、略Ｌ字状をなして突出しかつ先端部に抜止爪を有する複数の保持片２４６が適宜姿勢でかつ上下方向に所定間隔をもって配設されている。
【００３７】
［本体枠の遊技盤装着枠及び遊技盤について］
図１と図５に示すように、本体枠２０の遊技盤装着枠１１０は、前枠体２１の中央部後側に設けられかつ遊技盤１４０が前方から着脱交換可能に嵌込まれて装着されるようになっている。
すなわち、この実施例において、遊技盤装着枠１１０の奥側（後側）の枠部内周には遊技盤１４０の後側の周縁部を受け止める後面受け部１１１が形成されている。
また、遊技盤装着枠１１０の一側内壁面の上下部２箇所には、後面受け部１１１との間に遊技盤１４０の一側部が差し込み可能な間隔を隔てて前面押え部１１２が形成されている。
【００３８】
図１と図５に示すように、遊技盤１４０は、遊技盤装着枠１１０の前方から嵌込まれる大きさの略四角板状に形成されている。遊技盤１４０の盤面（前面）には、外レールと内レールとを備えた案内レール１４１が設けられ、その案内レール１４１の内側に遊技領域１４４が区画形成されている。
また、遊技盤１４０の前面には、その案内レール１４１の外側領域において、合成樹脂製の前構成部材１４０ａが装着されている。
【００３９】
また、遊技盤１４０には、その遊技領域１４４内において、遊技に関する役物装置、例えば、センタ役物と呼ばれる役物装置１５０、入賞装置、風車器、誘導釘、ランプ装飾部材等の各種の装備品が配設されている。
また、役物装置１５０の役物本体１５１には、その略中央部に開口窓が形成され、役物本体１５１の後側には、その開口窓に臨んで図柄表示装置（例えば、液晶表示器、ＥＬ表示器，プラズマ表示器，ＣＲＴ等）１５５が装着されている。
また、図柄表示装置１５５の後側には、図柄制御基板１５６が収納された図柄基板ボックス１５７が装着されている。（図５参照）。
【００４０】
また、図１に示すように、遊技盤１４０前面の前構成部材１４０ａの右側寄りの上下２箇所には、遊技盤装着枠１１０の係止部に対応する位置においてロック部材１５９がピンと左右方向の長孔によって回動操作可能に装着されている。
そして、遊技盤１４０（前構成部材１４０ａを含む）は、その一側（左側）を奥、反対側（右側）を手前にした斜めの状態で、その一側部（左側部が）が遊技盤装着枠１１０の後面受け部１１１と前面押え部１１２との間に差し込まれる（図１８参照）。そして、前面押え部１１２と遊技盤１４０の一側部との係合部を支点として遊技盤１４０が遊技盤装着枠１１０に沿う装着位置まで回動される。ここで、ロック部材１５９の先端のロック部が遊技盤装着枠１１０の係止部に差し込まれて係合されることで遊技盤装着枠１１０に遊技盤１４０が着脱交換可能に装着されるようになっている。
【００４１】
図５に示すように、遊技盤１４０の後側下部には、その中央部から下部にわたる部分において、各種入賞装置に流入した球を受けかつその球を所定位置まで導く集合樋としての機能とボックス装着部としての機能を兼ね備えたボックス装着台１６０が設けられている。このボックス装着台１６０の後側には、副制御基板１６６が収納された副制御基板ボックス１６５が装着され、その副制御基板ボックス１６５の後側に重ね合わされた状態で、主制御基板１６２が収納された主制御基板ボックス１６１が装着されている。
さらに、遊技盤１４０の後側に対しボックス装着台１６０、副制御基板ボックス１６５及び主制御基板ボックス１６１がそれぞれ装着された状態において、本体枠２０の遊技盤装着枠１１０の前方からその遊技盤装着枠１１０内に遊技盤１４０を嵌込んで装着できるように、遊技盤１４０の外郭より外側にはみ出すことなくボックス装着台１６０、副制御基板ボックス１６５及び主制御基板ボックス１６１が配置されている。
【００４２】
［本体枠と遊技盤のコネクタ接続について］
図５と図１８に示すように、本体枠２０の前側と、遊技盤１４０の後側との間には、遊技盤装着枠１１０に対し遊技盤１４０を装着するときの回動動作に伴って電気的に接続される本体枠側第１、第２のコネクタ１２０、１３０と遊技盤側第１、第２のコネクタ１７０、１８０とがそれぞれ配設されている。
この実施例において、図１８と図１９に示すように、遊技盤１４０を装着するときの回動支点と反対側の自由端部に位置する本体枠２０の遊技盤装着枠１１０の右下部近傍に設けられたコネクタ装着部に本体側第１、第２のコネクタ１２０、１３０が、その各コネクタベース１２０ａ、１３０ａにおいて、嵌込みによって位置決めされた状態で左右隣接して固定されている。
また、遊技盤１４０の後側の自由端部寄り下部に設けられたコネクタ装着部に遊技盤側第１、第２のコネクタ１７０、１８０が、その各コネクタベース１７０ａ、１８０ａにおいて、嵌込みによって位置決めされた状態で左右隣接して固定されている。
また、対をなす第１コネクタ１２０、１７０は自由端側に位置し、対をなす第２コネクタ１３０、１８０は回動支点側に隣接して配置されている。
また、
【００４３】
この実施例において、図２５に示すように、対をなす第１コネクタ１２０、１７０は、本体枠２０側の払出制御基板（制御基板）８６と、遊技盤１４０側の主制御基板（制御基板）１６２とを電気的に接続する。
また、対をなす第１コネクタ１２０、１７０によって各種の信号線が電気的に接続された状態において、例えば、遊技盤１４０側の主制御基板（制御基板）１６２から出力される賞球払出信号、外部出力用情報信号（大当たり信号、賞球数信号等）等の信号が本体枠２０側の払出制御基板（制御基板）８６に伝達される。また、本体枠２０側の払出制御基板（制御基板）８６から出力されＲＡＭ消去信号等の信号が遊技盤１４０側の主制御基板（制御基板）１６２に伝達されるようになっている。
また、対をなす第２コネクタ１３０、１８０によって各種の信号線が電気的に接続された状態において、例えば、遊技盤１４０側の副制御基板１（制御基板）６６から出力される作動制御信号が本体枠２０側の電気機器、（例えば、スピーカ３６）に伝達されるようになっている。
【００４４】
図１４〜図１６に示すように、本体枠側第１コネクタ１２０において、そのコネクタベース１２０ａ上には、第１の端子配設領域１２０ｂと第２の端子配設領域１２０ｃとが上下に隣接（区分け）して設けられ上下方向に長い縦形状をなしている。
すなわち、本体枠側第１コネクタ１２０のコネクタベース１２０ａ上の第１の端子配設領域１２０ｂには、縦長角筒状の端子保持筒１２０ｄが一体に突設され、その端子保持筒１２０ｄの両外側面には、遊技に関連する信号（例えば、ＤＣ５Ｖ）を伝達するための各種の信号線に対応する複数（多数）の信号端子（信号線用雄型端子）１２２が縦方向に配列されている。
また、図１５と図１６の（Ａ）に示すように、本体枠側第１コネクタ１２０のコネクタベース１２０ａ上の第２の端子配設領域１２０ｃには、本体枠２０側から遊技盤１４０側に対し複数の異なる電圧（例えば、ＤＣ３４Ｖ、ＤＣ１２Ｖ）の電源を供給する複数の電源線に対応する電源端子（電源線用雄型プラス端子）１２３、１２５及びグランド線に対応するグランド端子（グランド線用雄型端子）１２４、１２６がそれぞれ所定間隔を隔てて突出された状態で配置されている。
また、本体枠側第１コネクタ１２０のコネクタベース１２０ａ上には、複数の信号端子（信号線用雄型端子）１２２、電源端子（電源線用雄型プラス端子）１２３、１２５及びグランド端子（グランド線用雄型端子）１２４、１２６を保護するために、第１、第２の端子配設領域１２０ｂ、１２０ｃを外側から覆って取り囲む縦長箱形状の周壁体１２１が各端子よりも高い位置まで突設されている。
さらに、第２の端子配設領域１２０ｃにおいては、電源端子（電源線用雄型プラス端子）１２３、１２５及びグランド端子（グランド線用雄型端子）１２４、１２６の計４本の端子をそれぞれ個別に取り囲むために、第２の端子配設領域１２０ｃに対応する周壁体１２１の部分には、略十字状の溝を隔てた４つの区画壁１２１ａが形成されている。
【００４５】
図１５と図１６の（Ｂ）に示すように、遊技盤１４０を装着するときの回動動作に伴って電気的に接続される遊技盤側第１コネクタ１７０において、そのコネクタベース１７０ａ上には、第１の端子配設領域１７０ｂと第２の端子配設領域１７０ｃとが上下に隣接（区分け）して設けられ上下方向に長い縦形状をなしている。
遊技盤側第１コネクタ１７０のコネクタベース１７０ａ上の第１の端子配設領域１７０ｂには、本体枠側の端子保持筒１７０ｄが挿入される縦長角筒状の端子保持筒１７０ｄが一体に突設され、その端子保持筒１７０ｄの両内壁面には、複数（多数）の信号端子（信号線用雄型端子）１２２に対応する複数（多数）の信号端子（信号線用雌型端子）１７２が縦方向に配列されている。
また、遊技盤側第１コネクタ１７０のコネクタベース１７０ａ上の第２の端子配設領域１７０ｃには、電源端子（電源線用雄型プラス端子）１２３、１２５及びグランド線に対応するグランド端子（グランド線用雄型端子）１２４、１２６にそれぞれ対応する電源端子（電源線用雌型プラス端子）１７３、１７５及びグランド端子（グランド線用雌型端子）１７４、１７６がそれぞれ所定間隔を隔てて突出された状態で配置されている。
また、遊技盤側第１コネクタ１７０のコネクタベース１７０ａ上には、複数の信号端子（信号線用雄型端子）１７２、電源端子（電源線用雌型プラス端子）１７３、１７５及びグランド端子（グランド線用雌型端子）１７４、１７６を保護するために、第１、第２の端子配設領域１７０ｂ、１７０ｃを外側から覆って取り囲む縦長箱形状の周壁体１７１が各端子よりも高い位置まで突設されている。
さらに、遊技盤側第１コネクタ１７０の周壁体１７１の内部の第２の端子配設領域１７０ｃにおいて、電源端子（電源線用雌型プラス端子）１７３、１７５及びグランド端子（グランド線用雌型グランド端子）１７４、１７６を区画しかつ本体枠側第１コネクタ１２０の略十字状の溝に差し込まれる略十字状の仕切壁１７１ａが形成されている。
【００４６】
すなわち、この実施例においては、遊技盤側第１コネクタ１７０の周壁体１７１が、本体枠側第１コネクタ１２０の周壁体１２１の外側に嵌込まれる大きさに形成されている。そして、対をなす第１コネクタ１２０、１７０の両周壁体１２１、１７１が相互に嵌込まれることで、対をなす第１コネクタ１２０、１７０の各複数の信号端子（信号線用雄型・雌型の各端子）１２２と１７２、電源端子（電源線用雄型・雌型の各プラス端子）１２３、１２５と１７３、１７５及びグランド端子（グランド線用雄型・雌型の端子）１２４、１２６と１７４、１７６がそれぞれ接続案内されるようになっている。
【００４７】
また、遊技盤１４０の一側部を支点とする遊技盤１４０の装着時の回動動作に伴って、本体枠側第１のコネクタ１２０と遊技盤側第１コネクタ１７０とがそれぞれ差し込まれる際、まず、グランド端子（グランド線用雄型・雌型の端子）１２４、１２６と１７４、１７６が接続され、その後、電源端子（電源線用雄型・雌型の各プラス端子）１２３、１２５と１７３、１７５が接続されるように、図１９に示すように、グランド端子（グランド線用雄型・雌型の端子）１２４、１２６と１７４、１７６が遊技盤１４０の回動支点側に配置され、電源端子（電源線用雄型・雌型の各プラス端子）１２３、１２５と１７３、１７５が遊技盤１４０の回動自由端側に配置されている。
また、この実施例において、図１９に示すように、グランド線用雄型端子をなすグランド端子１２４、１２６と、電源線用雄型プラス端子をなす電源端子１２３、１２５において、雄型のグランド端子１２４、１２６は、雄型の電源端子１７３、１７５よりも長さＬ１に相当する分だけ長く形成されている。
また、雄型のグランド端子１２４、１２６と雄型の電源線用雄型プラス端子１２３、１２５との長さは略同じとし、雌型のグランド端子１７４、１７６を雌型の電源端子１７３、１７５よりも適宜に長く形成してもよい。
【００４８】
一方、対をなす第２コネクタ１３０、１８０においても、前記した対をなす第１コネクタ１２０、１７０と略同様にして構成されている。
すなわち、図１７の（Ａ）に示すように、本体枠側第２コネクタ１３０において、そのコネクタベース１３０ａ上には、第１の端子配設領域１３０ｂと第２の端子配設領域１３０ｃとが上下に隣接（区分け）して設けられ上下方向に長い縦形状をなしている。
本体枠側第２コネクタ１３０のコネクタベース１３０ａ上の第１の端子配設領域１３０ｂには、縦長角筒状の端子保持筒１３０ｄが一体に突設され、その端子保持筒１３０ｄの両外側面には、遊技に関連する信号（例えば、ＤＣ５Ｖ）を伝達するための各種の信号線に対応する複数（多数）の信号端子（信号線用雄型端子）１３２が縦方向に配列されている。
また、本体枠側第２コネクタ１３０のコネクタベース１３０ａ上の第２の端子配設領域１３０ｃには、本体枠２０側から遊技盤１４０側に対し所定の電圧（例えば、ＤＣ３４Ｖ）の電源を供給する電源線に対応する電源端子（電源線用雄型プラス端子）１３３及びグランド線に対応するグランド端子（グランド線用雄型端子）１３４が突出された状態で配置されている。
また、本体枠側第２コネクタ１３０のコネクタベース１３０ａ上には、複数の信号端子（信号線用雄型端子）１３２、電源端子（電源線用雄型プラス端子）１３３及びグランド端子（グランド線用雄型端子）１３４を保護するために、第１、第２の端子配設領域１３０ｂ、１３０ｃを外側から覆って取り囲む縦長箱形状の周壁体１３１が各端子よりも高い位置まで突設されている。
さらに、第２の端子配設領域１３０ｃにおいては、電源端子（電源線用雄型プラス端子）１３３及びグランド端子（グランド線用雄型端子）１３４を個別に取り囲むために、第２の端子配設領域１３０ｃに対応する周壁体１３１の部分には溝を隔てた区画壁１３１ａが形成されている。
【００４９】
図１７の（Ｂ）に示すように、遊技盤側第２コネクタ１８０において、そのコネクタベース１８０ａ上には、第１の端子配設領域１８０ｂと第２の端子配設領域１８０ｃとが上下に隣接（区分け）して設けられ上下方向に長い縦形状をなしている。
遊技盤側第２コネクタ１８０のコネクタベース１８０ａ上の第１の端子配設領域１８０ｂには、本体枠側の端子保持筒１３０ｄが挿入される縦長角筒状の端子保持筒１１８０ｄが一体に突設され、その端子保持筒１１８０ｄの両内壁面には、複数（多数）の信号端子（信号線用雌型端子）１８２が縦方向に配列されている。
また、遊技盤側第２コネクタ１８０のコネクタベース１８０ａ上の第２の端子配設領域１８０ｃには、電源端子（電源線用雄型プラス端子）１３３及びグランド線に対応するグランド端子（グランド線用雄型端子）１３４にそれぞれ対応する電源端子（電源線用雌型プラス端子）１８３及びグランド端子（グランド線用雌型端子）１８４が突出された状態で配置されている。
また、遊技盤側第２コネクタ１８０のコネクタベース１８０ａ上には、複数の信号端子（信号線用雄型端子）１８２、電源端子（電源線用雌型プラス端子）１８３及びグランド端子（グランド線用雌型端子）１８４を保護するために、第１、第２の端子配設領域１８０ｂ、１８０ｃを外側から覆って取り囲む縦長箱形状の周壁体１８１が各端子よりも高い位置まで突設されている。
さらに、遊技盤側第２コネクタ１８０の周壁体１８１の内部の第２の端子配設領域１８０ｃにおいて、電源端子（電源線用雌型プラス端子）１８３及びグランド端子（グランド線用雌型グランド端子）１８４を区画しかつ本体枠側第２コネクタ１３０の溝に差し込まれる仕切壁１８１ａが形成されている。
【００５０】
また、遊技盤側第２コネクタ１８０の周壁体１８１は、本体枠側第２コネクタ１３０の周壁体１３１の外側に嵌込まれる大きさに形成されている。そして、対をなす第２コネクタ１３０、１８０の両周壁体１３１、１８１が相互に嵌込まれることで、対をなす第２コネクタ１３０、１８０の各複数の信号端子（信号線用雄型・雌型の各端子）１３２と１８２、電源端子（電源線用雄型・雌型の各プラス端子）１３３と１８３及びグランド端子（グランド線用雄型・雌型の端子）１３４と１８４がそれぞれ接続案内されるようになっている。
【００５１】
また、遊技盤１４０の一側部を支点とする遊技盤１４０の装着時の回動動作に伴って、本体枠側第２コネクタ１３０と遊技盤側第２コネクタ１８０とがそれぞれ差し込まれる際、まず、グランド端子（グランド線用雄型・雌型の端子）１３４と１８４が接続され、その後、電源端子（電源線用雄型・雌型の各プラス端子）１３３と１８３が接続されるように、図１７と図１９に示すように、グランド端子（グランド線用雄型・雌型の端子）１３４と１８４が遊技盤１４０の回動支点側に配置され、電源端子（電源線用雄型・雌型の各プラス端子）１３３と１８３が遊技盤１４０の回動自由端側に配置されている。
また、この実施例において、図１９に示すように、グランド線用雄型端子をなすグランド端子１３４と、電源線用雄型プラス端子をなす電源端子１３３において、雄型のグランド端子１３４は、雄型の電源端子１３３よりも長さＬ２に相当する分だけ長く形成されている。
また、雄型のグランド端子１３４と雄型の電源線用雄型プラス端子１３３との長さは略同じとし、雌型のグランド端子１８４を雌型の電源端子１８３よりも適宜に長く形成してもよい。
【００５２】
［この実施例に係る遊技機の作用効果について］
上述したように構成されるこの実施例に係る遊技機において、本体枠２０の遊技盤装着枠１１０に対し遊技盤１４０を装着する場合、まず、図１８に示すように、遊技盤１４０（前構成部材１４０ａを含む）は、その一側（左側）を奥、反対側（右側）を手前にした斜めの状態で、その一側部（左側部が）が遊技盤装着枠１１０の後面受け部１１１と前面押え部１１２との間に差し込まれる。そして、前面押え部１１２と遊技盤１４０の一側部との係合部を支点として遊技盤１４０が遊技盤装着枠１１０に沿う装着位置まで回動される。ここで、ロック部材１５９の先端のロック部が遊技盤装着枠１１０の係止部に差し込まれて係合されることで遊技盤装着枠１１０に遊技盤１４０が着脱交換可能に装着される（図１参照）。
【００５３】
前記したように、遊技盤１４０の一側部の係合部を支点とする遊技盤１４０の装着時の回動動作に伴って、本体枠２０の前側に配設された本体枠側第１、第２のコネクタ１２０、１３０と、遊技盤１４０の後側に配設された遊技盤側第１、第２のコネクタ１７０、１８０とがそれぞれ接続される。
また、前記とは逆の手順で操作することで、本体枠２０の遊技盤装着枠１１０に対し遊技盤１４０を取り外すことができる共に、本体枠側第１、第２のコネクタ１２０、１３０と遊技盤側第１、第２のコネクタ１７０、１８０とをそれぞれ離脱させることができる。
このため、本体枠２０に対し遊技盤１４０を着脱交換する度毎に、信号線や電源線を外したりあるいは接続する煩わしい手間を解消することができる。
【００５４】
この実施例において、本体枠２０の前側と遊技盤１４０の後側に配設されて対をなす第１コネクタ１２０、１７０は、第１、第２の端子配設領域１２０ｂ、１２０ｃ、１７０ｂ、１７０ｃを上下に隣接（区分け）して備えて縦長状をなしている。そして、第１コネクタ１２０、１７０の第１の端子配設領域１２０ｂ、１７０ｂには、複数（多数）の信号端子１２２が縦方向に二列をなして配列され、第２の端子配設領域１２０ｃ、１７０ｃには電源端子１２３、１２５、１７３、１７５と、グランド端子１２４、１２６、１７４、１７６が縦方向に二列をなして配列されている。このため、各端子の左右方向の距離寸法を小さくすることができ、遊技盤１４０の装着時の回動動作に伴って、本体枠側第１コネクタ１２０と、遊技盤側第１コネクタ１７０とが円滑に嵌込まれる。
すなわち、対をなす第１コネクタ１２０、１７０が左右方向に長い横長状に形成された場合には、左右両端の端子の左右方向の距離寸法が大きくなり、遊技盤１４０の装着時の回動動作に伴って、本体枠側第１コネクタ１２０と、遊技盤側第１コネクタ１７０とを嵌込こむことが困難となる場合があるが、このような不具合を防止することができる。
【００５５】
また、対をなす第２コネクタ１３０、１８０においても、対をなす第１コネクタ１２０、１７０と略同様にして、第１、第２の端子配設領域１３０ｂ、１３０ｃ、１８０ｂ、１８０ｃを上下に隣接（区分け）して備えて縦長状をなしているため、各端子の左右方向の距離寸法を小さくすることができ、遊技盤１４０の装着時の回動動作に伴って、本体枠側第２コネクタ１３０と、遊技盤側第２コネクタ１７０とが円滑に嵌込まれる。
このため、
【００５６】
また、第１コネクタ１２０、１７０の第２の端子配設領域１２０ｃ、１７０ｃに配設された電源端子１２３、１２５、１７３、１７５と、グランド端子１２４、１２６、１７４、１７６のうち、グランド端子１２４、１２６、１７４、１７６は遊技盤１４０の回動支点側に配置され、電源端子１２３、１２５、１７３、１７５は遊技盤１４０の回動自由端側に配置されている。
このため、遊技盤１４０の回動動作に伴って、本体枠側第１コネクタ１２０と遊技盤側第１コネクタ１７０とが接続されるときには、グランド端子１２４、１２６、１７４、１７６が電源端子１２３、１２５、１７３、１７５よりも先に接続される。
したがって、遊技機の電源がＯＮの状態であることを気づかないで遊技盤１４０を脱着交換した場合においても、設計経路とは異なる経路で電流が流れることを防止することができ、回路基板としての主制御基板１６２上に配設されたＩＣチップ、トランジスタ等の電子部品が過電流によって破損されることを防止することができる。
【００５７】
また、対をなす第２コネクタ１３０、１８０においても、対をなす第１コネクタ１２０、１７０と略同様にして、グランド端子１３４（１８４）は遊技盤１４０の回動支点側に配置され、電源端子１３３（１８３）は遊技盤１４０の回動自由端側に配置されているため、遊技機の電源がＯＮの状態であることを気づかないで遊技盤１４０を脱着交換した場合においても、設計経路とは異なる経路で電流が流れることを防止することができる。
【００５８】
また、この実施例において、対をなす第１コネクタ１２０、１７０のうち、少なくとも一方のコネクタ（例えば、本体枠側第１コネクタ１２０）において、グランド端子１２４、１２６は、電源端子１２３、１２５よりも所定長さＬ１だけ長く形成されている。このため、一方のコネクタ（例えば、本体枠側第１コネクタ１２０）のグランド端子１２４、１２６が電源端子１２３、１２５よりも長く形成されている分だけ、他方のコネクタ（遊技盤側第１コネクタ１７０）のグランド端子１７４、１７６に先に（早く）接続される。このため、一方のコネクタ（例えば、本体枠側第１コネクタ１２０）の電源端子１２３、１２５が他方のコネクタ（遊技盤側第１コネクタ１７０）の電源端子１７３、１７５に先に接続されることをより一層確実に防止することができる。
【００５９】
また、対をなす第２コネクタ１３０、１３０においても、対をなす第１コネクタ１２０、１７０と略同様にして、少なくとも一方のコネクタ（例えば、本体枠側第２コネクタ１３０）において、グランド端子１３４は、電源端子１３３よりも所定長さＬ２だけ長く形成されている。このため、一方のコネクタ（例えば、本体枠側第２コネクタ１３０）のグランド端子１３４が電源端子１３３よりも長く形成されている分だけ、他方のコネクタ（遊技盤側第２コネクタ１８０）のグランド端子１８４に先に（早く）接続される。このため、一方のコネクタ（例えば、本体枠側第２コネクタ１３０）の電源端子１３３が他方のコネクタ（遊技盤側第２コネクタ１８０）の電源端子１８３に先に接続されることをより一層確実に防止することができる。
【００６０】
また、対をなす第１コネクタ１２０、１７０において、本体枠側第１コネクタ１２０及び遊技盤側第１コネクタ１７０にそれぞれ形成された周壁体１２１、１７１によって、それぞれの第１、第２の端子配設領域１２０ｂ、１２０ｃ、１７ｂ、１７ｃを外側から覆って取り囲むことで、第１の端子配設領域１２０ｂ、１７０ｂに配設された複数の信号端子１２２、１７２及び第２の端子配設領域１２０ｃ、１７０ｂに配設された電源端子１２３、１２５、１７３、１７５及びグランド端子１２４、１２６、１７４、１７６を保護することができる。このため、本体枠２０の遊技盤装着枠１１０から遊技盤１４０が取り外された状態において、本体枠側第１コネクタ１２０及び遊技盤側第１コネクタ１７０の第１、第２の端子配設領域、１２０ｂ、１２０ｃ、１７０ｂ、１７０ｃに配設された複数の信号端子１２２、１７２、電源端子１２３、１２５、１７３、１７５及びグランド端子１２４、１２６、１７４、１７６に対し異物が不測に当たって損傷されることを防止することができる。
【００６１】
また、遊技盤側第１コネクタ１７０の周壁体１７１が外側、本体枠側第１コネクタ１２０の周壁体１２１が内側に位置して相互に嵌込まれることで、本体枠側第１コネクタ１２０の複数の信号端子１２２、電源端子１２３、１２５及びグランド端子１２４、１２６と、遊技盤側第１コネクタ１７０の複数の信号端子１７２、電源端子１７３、１７５及びグランド端子１７４、１７６とが接続案内される。このため、各端子の接続不良を良好に防止することができる。
【００６２】
また、対をなす第２コネクタ１３０、１８０においても、対をなす第１コネクタ１２０、１７０と略同様にして、本体枠側第２コネクタ１３０及び遊技盤側第２コネクタ１８０にそれぞれ形成された周壁体１３１、１８１によって、それぞれの第１、第２の端子配設領域１３０ｂ、１３０ｃ、１８０ｂ、１８０ｃを外側から覆って取り囲むことで、第１の端子配設領域１３０ｂ、１８０ｂに配設された複数の信号端子１３２、１８２及び第２の端子配設領域１３０ｃ、１８０ｃに配設された電源端子１３３、１８３及びグランド端子１３４、１８４を保護することができ、複数の信号端子１３２、１８２、電源端子１３３、１８３及びグランド端子１３４、１８４に対し異物が不測に当たって損傷されることを防止することができる。
さらに、遊技盤側第２コネクタ１８０の周壁体１８１が外側、本体枠側第２コネクタ１３０の周壁体１２１が内側に位置して相互に嵌込まれることで、本体枠側第２コネクタ１３０の複数の信号端子１３２、電源端子１３３及びグランド端子１３４と、遊技盤側第２コネクタ１８０の複数の信号端子１８２、電源端子１８３及びグランド端子１８４とが接続案内される。このため、各端子の接続不良を良好に防止することができる。
【００６３】
また、この実施例においては、本体枠２０の前側と、遊技盤１４０の後側との間には、遊技盤装着枠１１０に対し遊技盤１４０を装着するときの回動動作に伴って電気的に接続される複数対の第１コネクタ１２０、１７０と第２コネクタ１３０、１８０とがそれぞれ配設されている。
そして、対をなす第１コネクタ１２０、１７０は、本体枠２０側の払出制御基板（制御基板）８６と、遊技盤１４０側の主制御基板（制御基板）１６２とを電気的に接続し、対をなす第２コネクタ１３０、１８０は、本体枠２０側の電気機器（例えば、スピーカ３６）と、遊技盤１４０側の副制御基板１（制御基板）６６とを電気的に接続する。
このようにして、複数対の第１、第２のコネクタ１２０、１７０及び１３０、１８０によって本体枠２０側と遊技盤１４０側を電気的に接続することで、小型のコネクタを用いることができ、コネクタの配置設計の自由度を高めることができる。
すなわち、複数対のコネクタに分散して配置された多数の信号端子、電源端子、グランド端子を、一対のコネクタに集約して配置すると、コネクタが大型化し、配置スペースの確保が困難となる場合があるが、複数対の小型のコネクタを用いることで、これら複数対のコネクタを並列（横方向に隣接して）配置したり、あるいは直列（縦方向に隣接して）配置したり、あるいは縦横方向に所定距離を隔てて配置することが可能となり、コネクタの配置設計の自由度を高めることができる。
【００６４】
［この発明の他の実施例について］
なお、この発明は前記実施例に限定するものではない。
例えば、前記実施例においては、本体枠２０の前側と、遊技盤１４０の後側との相互に、遊技盤装着枠１１０に対し遊技盤１４０を装着するときの回動動作に伴って電気的に接続される複数対の第１コネクタ１２０、１７０と第２コネクタ１３０、１８０とがそれぞれ配設される場合を例示したが、本体枠２０の前側と、遊技盤１４０の後側との相互に、複数（多数）の信号端子、電源端子、グランド端子を有する一対のコネクタを配設した場合においてもこの発明を実施することができる。
また、電圧が高低異なる複数の電源端子、グランド端子及び複数（多数）の信号端子が設けられた対のコネクタにおいて、グランド端子、信号端子、低い電源端子及び高い電圧の電源端子の順に接続されるように、グランド端子を最も長くし、次に信号端子、その次に低い電源端子、最短を高い電圧の電源端子としてこれら各端子の長さを設定してもこの発明を実施することができる。
また、前記実施例においては、本体枠２０の遊技盤装着枠１１０の後面受け部１１１と前面押え部１１２との間に、遊技盤１４０の一側部を斜めの状態で差し込み、前面押え部１１２と遊技盤１４０の一側部との係合部を支点として遊技盤１４０が遊技盤装着枠１１０に沿う装着位置まで回動されるように構成したが、例えば、本体枠２０の遊技盤装着枠１１０の一側部に離脱可能なヒンジ機構によって遊技盤１４０を回動可能に支持することで、遊技盤装着枠１１０に対し遊技盤１４０を着脱交換可能に構成してもこの発明を実施することができる。
また、前記実施例においては、前枠体２１、遊技盤装着枠１１０及び機構装着体１９０が合成樹脂材によって一体成形されることで本体枠２０が構成される場合を例示したが、前枠体２１、遊技盤装着枠１１０及び機構装着体１９０がそれぞれ別個に形成され、これら各部材が相互に組み付けられる構造であってもこの発明を実施することができる。
【図面の簡単な説明】
【００６５】
【図１】この発明の実施例に係る遊技機の外枠の一側に本体枠が開かれその本体枠の一側にガラス扉が開かれた状態を示す斜視図である。
【図２】同じく遊技機の前側全体を示す正面図である。
【図３】同じく遊技機の後側全体を示す背面図である。
【図４】同じく遊技機の本体枠に各種部材が組み付けられた状態を斜め左下方から示す斜視図である。
【図５】同じく遊技機の本体枠と遊技盤とを分離して示す斜視図である。
【図６】同じく本体枠の下部左側に形成されたスピーカボックスとスピーカとを分離して示す斜視図である。
【図７】同じく本体枠のスピーカボックスを後側から示す斜視図である。
【図８】同じく本体枠のスピーカボックスを後側から示す背面図である。
【図９】同じく図８のＩＸ−ＩＸ線に基づくスピーカボックスの平断面図である。
【図１０】同じくスピーカボックスの後壁の配線孔と端末コネクタを拡大して示す平断面図である。
【図１１】同じく図８のＸＩ−ＸＩ線に基づくスピーカボックスの平断面図である。
【図１２】同じくスピーカ側接続線の端末コネクタと電源線の端末コネクタとを分離して示す斜視図である。
【図１３】同じく本体枠の遊技盤装着枠に遊技盤が嵌込まれた状態を部分的に示す平断面図である。
【図１４】同じく遊技盤装着枠に遊技盤が嵌込まれたときに本体枠側コネクタと遊技盤側コネクタとが接続された状態を拡大して示す平断面図である。
【図１５】同じく本体枠側コネクタと遊技盤側コネクタとを分離して示す斜視図である。
【図１６】同じく対をなす第１コネクタを示すもので、（Ａ）は本体枠側第１コネクタを示す正断面図、（Ｂ）は遊技盤側第１コネクタを示す正断面図である。
【図１７】同じく対をなす第２コネクタを示すもので、（Ａ）は本体枠側第２コネクタを示す正断面図、（Ｂ）は遊技盤側第２コネクタを示す正断面図である。図である。
【図１８】同じく本体枠の遊技盤装着枠に一側部を差し込んだ遊技盤を装着位置に向けて回動する状態を示す説明図である。
【図１９】同じく本体枠側コネクタと遊技盤側コネクタとの非接続状態を拡大して示す平断面図である。
【図２０】同じく本体枠の機構装着体の前側に設けられた第１、第２配線空間に電源線と信号線とが分離して配線された状態を示す本体枠の正面図である。
【図２１】同じく本体枠の機構装着体の前側に設けられた第１配線空間に電源線が配線された状態を斜め左下から示す本体枠の斜視図である。
【図２２】同じく本体枠の機構装着体の前側に設けられた第２配線空間に信号線が配線された状態を斜め右下から示す本体枠の斜視図である。
【図２３】同じく図２０のＸＸＩＩＩ−ＸＸＩＩＩ線に基づく本体枠の機構装着体の側断面図である。
【図２４】同じく図２０のＸＸＩＶ−ＸＸＩＶ線に基づく本体枠の機構装着体の側断面図である。
【図２５】同じく本体枠側の回路基板と遊技盤側の回路基板とが本体枠側コネクタと遊技盤側コネクタによって接続された状態を示すブロック図である。
【符号の説明】
【００６６】
１０  外枠
２０  本体枠
１１０  遊技盤装着枠
１２０  本体枠側第１コネクタ
１２２  複数の信号端子
１２３、１２５  電源端子
１２４、１２６  グランド端子
１３０  本体枠側第２コネクタ
１３２  複数の信号端子
１３３  電源端子
１３４  グランド端子
１４０  遊技盤
１７０  遊技盤側第１コネクタ
１７２  複数の信号端子
１７３、１７５  電源端子
１７４、１７６  グランド端子
１８０  遊技盤側第２コネクタ
１８２  複数の信号端子
１８３  電源端子
１８４  グランド端子
【図１】
2005296638.tif 000003
【図２】
2005296638.tif 000004
【図３】
2005296638.tif 000005
【図４】
2005296638.tif 000006
【図５】
2005296638.tif 000007
【図６】
2005296638.tif 000008
【図７】
2005296638.tif 000009
【図８】
2005296638.tif 000010
【図９】
2005296638.tif 000011
【図１０】
2005296638.tif 000012
【図１１】
2005296638.tif 000013
【図１２】
2005296638.tif 000014
【図１３】
2005296638.tif 000015
【図１４】
2005296638.tif 000016
【図１５】
2005296638.tif 000017
【図１６】
2005296638.tif 000018
【図１７】
2005296638.tif 000019
【図１８】
2005296638.tif 000020
【図１９】
2005296638.tif 000021
【図２０】
2005296638.tif 000022
【図２１】
2005296638.tif 000023
【図２２】
2005296638.tif 000024
【図２３】
2005296638.tif 000025
【図２４】
2005296638.tif 000026
【図２５】
2005296638.tif 000027